(57)【要約】【課題】本発明は喫茶店等の店舗内におかれた専用コースターラックから、好みのコースターを持ち帰ることが可能なシステムであり、コースターには広告が記載され、或いはコンパクトディスク（ＣＤ）等のディスクが裏面に取り付けられたコースターが使用されるフリーコースターシステムに関する。【解決手段】本発明は広告が印刷された広告型フリーコースター、或いはコンパクトディスク等のディスク付きコースターをお客に自由に持ち帰り可能なシステムであり、当該コースターを喫茶店等で使用し、その後顧客は当該コースターを無料で持ち帰ることができ、コースターに印刷された広告を効率よく顧客に伝えると共に、取り付けられたコンパクトディスク（ＣＤ）を自由に利用することもでき、更にコースター自体を自宅で使用することもできる。【選択図】　　　図１
2004121564.tif 000002
【特許請求の範囲】
【請求項１】
表面及び裏面に広告が表示されたコースターと、該コースターを複数載置可能なコースターラックとを有し、
該コースターラックに載置された前記コースターをお客が自由に持ち帰りできることを特徴とするフリーコースターシステム。
【請求項２】
前記コースターラックは、スタンドラックであることを特徴とする請求項１記載のフリーコースターシステム。
【請求項３】
前記コースターラックは、テーブル置きラックであることを特徴とする請求項１記載のフリーコースターシステム。
【請求項４】
裏面に設けられた凹部と、
該凹部に取り付けられたコンパクトディスクと、
を有することを特徴とするディスク付きコースター。
【請求項５】
前記ディスク付きコースターは、フリーコースターシステムに使用されることを特徴とする請求項４記載のディスク付きコースター。
【請求項６】
前記ディスク付きコースターに表示された広告は、前記ディスクの内容に関連することを特徴とする請求項４、又は５記載のディスク付きコースター。
【発明の詳細な説明】
【０００１】
【発明の属する技術分野】
本発明は喫茶店等の店舗内におかれた専用コースターラックから、好みのコースターを持ち帰ることが可能なシステムであり、コースターには広告が記載され、或いはコンパクトディスク（ＣＤ）等のディスクが裏面に取り付けられたコースターが使用されるフリーコースターシステムに関する。
【０００２】
【従来の技術及び課題を解決するための手段】
喫茶店やレストラン、ＣＬＵＢ（クラブ）等の店舗において、アイスコーヒー等の飲み物には従来からコースターが使用されている。このコースターは店舗の所有物であり、通常お客が持ち帰ることはできない。しかし、今日インターネットを始め各種媒体が広告に利用されている。
【０００３】
そこで、上記店舗で使用されているコースターに広告を印刷し、お客が自由に持ち帰ることができるシステムを提案することによって、デザイン的にも優れ、オシャレで広告機能をより発揮するフリーコースターシステムを提案するものである。
【０００４】
また最近、音楽データをデジタル形式で記録したコンパクトディスク（ＣＤ）が広く市販されている。このＣＤをベースにしてＣＤ−ＲＯＭ、ビデオＣＤ等の様々なメディアも登場している。また、音楽データや画像データ、文書ファイル等の情報が書き込み可能なＣＤ−Ｒ、ＣＤ−ＲＷもコスト面から利用し易くなり、一般ユーザに広く利用されている。
【０００５】
そこで、更に本発明は上記課題を解決するため、コンパクトディスク（ＣＤ）等を裏面に取り付けたディスク付きコースターも提供するものである。
【０００６】
【課題を解決するための手段】
上記課題は本発明の請求項１の態様によれば、表面及び裏面に広告が表示されたコースターと、該コースターを複数載置可能なコースターラックとを有し、該コースターラックに載置された前記コースターをお客が自由に持ち帰りできるフリーコースターシステムを提供することによって達成できる。
【０００７】
このように構成することにより、お客の目に確実に触れるコースターをテーブル上に置くと共に、持ち帰り可能なシステムとすることによって、広告効果を充分発揮するものである。
【０００８】
請求項２の記載は、上記請求項１記載の発明において、前記コースターラックは、例えばスタンドラックである。
このように構成することにより、スタンドラックに置かれたコースターの中で好みのデザイン、又は好みの広告が表示されたコースターを選択して持ち帰ることができ、更に利用し易く、より広告効果の優れたシステムとすることができる。
【０００９】
請求項３の記載は、上記請求項１記載の発明において、前記コースターラックは、例えばテーブル置きラックである。
このように構成することによっても、テーブル置きラックに置かれたコースターの中で好みのデザイン、又は好みの広告が表示されたコースターを選択して持ち帰ることができ、更に利用し易く、より広告宣伝効果の優れたシステムとすることができる。
【００１０】
上記課題は本発明の請求項４の態様によれば、裏面に設けられた凹部と、該凹部に取り付けられたコンパクトディスクとを有するディスク付きコースターを提供することによって達成できる。
【００１１】
このように構成することにより、本発明のコンパクトディスク付きコースターを、例えば喫茶店等の店舗で無料で持ち帰り可能とし、サービス品として利用し、店舗の集客、及び広告宣伝効果を更に発揮させることができる。
【００１２】
請求項５の記載は、上記請求項４記載の発明において、前記ディスク付きコースターは、フリーコースターシステムに使用される構成である。
また、請求項６の記載は、上記請求項４又は５の記載において、前記ディスク付きコースターに表示された広告は、前記ディスクの内容に関連する構成である。
【００１３】
【発明の実施の形態】
以下、本発明の実施の形態を図面を参照しながら説明する。
＜第１の実施形態＞
図１は本実施形態の広告が表面に印刷されたコースターであり、以下広告型フリーコースター１と言う。この広告型フリーコースター１には各種広告が印刷され、同図に示す例（１ａ〜１ｆ）は一例である。
【００１４】
ここで、上記広告型フリーコースター１のサイズは、例えば直径９０ｍｍであり、厚さ１ｍｍである。材質としては紙、又はコルク材、プラスチック等で構成されている。また、紙を使用する場合には、吸水性コースター用紙が使用される。また、カラー印刷であり、デザイン的にも優れた構成である。
【００１５】
尚、図示しないが、広告型フリーコースター１の裏面にも広告が印刷されている。また、本例の広告型フリーコースター１は喫茶店やレストラン等の店舗において、無料で自由に持ち帰りできるものであり、例えば広告型フリーコースター１の表面に“自由にお持ち帰り下さい”等の印刷を行ってもよい。
【００１６】
図２は上記構成の広告型フリーコースター１をスタンドラック２に載置した例であり、例えばこのスタンドラック２を店舗の入口近くに設置する。このように構成することにより、お客はスタンドラック２に置かれた広告型フリーコースター１を見て自由に希望するデザインや広告が印刷されたコースターを持ち帰ることができ、効率よく広告を行うことができる。
【００１７】
また、図３は上記構成の広告型フリーコースター１をテーブル置きラック３に載置した例であり、上記と同様このテーブル置きラック３を店舗の入口付近に設置する。このように構成することによっても、お客はテーブル置きラック３に置かれた広告型フリーコースター１を見て希望するコースターを持ち帰ることができ、効率よく広告を行うことができる。
【００１８】
＜第２の実施形態＞
次に、本発明の第２の実施形態について説明する。
本例は上記構成の広告型フリーコースターの裏面にディスクが取付られたコースターを使用する構成である。以下、具体的に説明する。
【００１９】
図４は本例のディスク付きコースター４の裏面の構成を示す図である。ディスク付きコースター４の裏面には所定の内径を有する凹部５が形成され、この凹部５にコンパクトディスク（ＣＤ）６が取り付けられる。このコンパクトディスク（ＣＤ）６には、例えば宣伝用の音楽データが記録されている。尚、図５はコースターの裏面にコンパクトディスク（ＣＤ）６を取り付けた状態を示す図である。
【００２０】
また、コンパクトディスク（ＣＤ）６の直径は、前述の凹部の内径より若干長く構成されている。したがって、コンパクトディスク（ＣＤ）６を凹部５に所定の圧力で固定できる構成である。また、コースターの裏面にコンパクトディスク（ＣＤ）６を取り付ける為、コースターの機能に影響を与えることはない。また、コースターの凹部５の深さはｔ’は、コンパクトディスク（ＣＤ）６の厚さｔに対応し、コンパクトディスク（ＣＤ）６をキズ付けることもない。
【００２１】
喫茶店等の店舗への来店者は飲食を終えた後、上記構成のディスク付きコースター４を持ち帰り自宅でディスクを利用することができる。したがって、サービス向上に繋がり、本例のディスク付きコースター４を提供する店舗への集客力向上にも繋がる。
【００２２】
また、コンパクトディスク（ＣＤ）６はコースター１の裏面の凹部２に圧入するので簡単に落下することもない。また、コースター自体を自宅で使用することもできる。
【００２３】
尚、コースターの形状は、上記円形に限らず、四角形、楕円形等の各種形状のコースターであっても適用することができる。
また、図示しないが、コースターの裏面にコンパクトディスク（ＣＤ）に記録された音楽のイントロ部分を記録し、例えば光センサによってコースター１をテーブルから離すと（上げると）イントロが流れるように構成してもよい。
【００２４】
【発明の効果】
以上説明したように、本発明によれば喫茶店等の店舗への来店者は飲食を終えた後、コースターを自由に持ち帰ることができ、コースターに印刷された広告内容が効率よくお客に知らされ、効率よく広告機能を果たすことができる。
【００２５】
また、コースターを自宅で使用することもでき、サービス向上に繋がり、店舗の集客力向上にもこん献するシステムとなる。
【図面の簡単な説明】
【図１】本実施形態の広告型フリーコースターの外観図である。
【図２】本実施形態のスタンドラックの外観図である。
【図３】本実施形態のテーブル置きラックの外観図である。
【図４】本実施形態のコンパクトディスク付きコースターの裏面図である。
【図５】本実施形態のコンパクトディスク付きコースターの裏面図である。
【符号の説明】
１　広告型フリーコースター
２　スタンドラック
３　テーブル置きラック
４　ディスク付きコースター
５　凹部
６　コンパクトディスク（ＣＤ）
【図１】
2004121564.tif 000003
【図２】
2004121564.tif 000004
【図３】
2004121564.tif 000005
【図４】
2004121564.tif 000006
【図５】
2004121564.tif 000007